(57)【特許請求の範囲】
【請求項１】
本体部分が構造物内の壁面へ埋め込まれて用いられる壁埋め込み型照光式押しボタンスイッチであって、
前記壁面に設けた取付用穴を覆って取り付けられる中央部にホルダー装着孔を有するベース部材と、
前記ベース部材の前記装着孔に取り付けられるところの当該ベース部材に対して大きな専有面積を占める口径を有する収容部とこの収容部に続いて設けられた挿通孔とを有するホルダー部材と、
前記ホルダー部材の前記収容部に収容され当該ホルダー部材に対し押圧復帰動作可能に取り付けられるプランジャーと、
前記プランジャーに取り付けられるところの前記ベース部材に対して大きな専有面積を占める発光表示面積の大きな透光性材質のボタンキャップと、
前記ボタンキャップと前記プランジャーとの間に設けられた光拡散レンズと、
前記ベース部材に前記プランジャーの中央部下方に位置して取り付けられた当該プランジャーによって操作される自動復帰型の押しボタンを有する押しボタンスイッチと、
前記押しボタンスイッチに隣接して設けられたＬＥＤユニットと、を有し、
前記ＬＥＤユニットからは前記押しボタンの幅よりも幅を狭くした保持部材を当該押しボタンの上方へ延設させて設け、この保持部材上にＬＥＤを設けたことを特徴とする、壁埋込み型照光式押しボタンスイッチ。
【請求項２】
本体部分が構造物内の壁面へ埋め込まれて用いられる壁埋め込み型照光式押しボタンスイッチであって、
前記壁面に設けた取付用穴を覆って取り付けられる中央部にホルダー装着孔を有するベース部材と、
前記ベース部材に取り付けられるところの中央部にホルダー取付孔を有する化粧カバーと、
前記化粧カバーの前記ホルダー取付孔に取り付けられるところの当該化粧カバーに対して大きな専有面積を占める口径を有する収容部とこの収容部に続いて設けられた挿通孔とを有するホルダー部材と、
前記ホルダー部材の前記収容部に収容される本体部と前記挿通孔に挿通される脚部を有し当該ホルダー部材に対し押圧復帰動作可能に取り付けられたプランジャーと、
前記プランジャーに取り付けられるところの前記化粧カバーに対して大きな専有面積を占める発光表示面積の大きなボタンキャップと、
前記ボタンキャップと前記プランジャーとの間に設けられた光拡散レンズと、
前記ホルダー部材に対してプランジャーを一方向へ付勢する弾性手段と、
前記ベース部材に前記プランジャーの中央部下方に位置して取り付けられ、前記プランジャーの前記脚部によってＯＮ、ＯＦＦ操作される自動復帰型の押しボタンを有する押しボタンスイッチと、
前記押しボタンの上方に位置して設けられた保持部材を有し前記プランジャーの中央部下方に位置して設置されたＬＥＤを有するＬＥＤユニットと、
を備え、
前記保持部材を前記押しボタンの幅よりも狭く構成して当該押しボタンの両側が前記保持部材の両側に露出するように成し、前記プランジャーの脚部には前記保持部材の両側より露出した前記押しボタンの受圧部を押圧する一対のスイッチ押圧部を設けたことを特徴とする、壁埋込み型照光式押しボタンスイッチ。
【請求項３】
前記ベース部材は、中央部にホルダー装着孔を有する前面板と枠体から成り、前記押しボタンスイッチと前記ＬＥＤユニットは、前記枠体に対してその中央部に当該押しボタンスイッチをその横にＬＥＤユニットを並置して取付けられ、前記保持部材は当該ＬＥＤユニットから延設されて当該押しボタンスイッチの上方に達するように構成したことを特徴とする、請求項１〜２のいずれか１項に記載の壁埋込み型照光式押しボタンスイッチ。
【請求項４】
前記ボタンキャップは、平面形状が、３角形や４角形等の多角形状を呈することを特徴とする、請求項１〜３のいずれか１項に記載の壁埋込み型照光式押しボタンスイッチ。
【発明の詳細な説明】
【技術分野】
【０００１】
本発明は、構造物内の壁部に埋め込んで用いて好適な壁埋込み型照光式押しボタンスイッチに関する。
【背景技術】
【０００２】
壁埋込み型の照光式押しボタンスイッチは、従来から例えばエレベーター乗り場の乗降口の壁面その他、さまざまな場所に設置、使用されているが、昨今は、一般住宅やマンション、デパートなどのインテリア性の要求の高い構造物内等において、例えば会議室や相談室、トイレや洗面所などの出入口の壁部に埋め込んで用いるデザイン性の高いものが望まれている。
【０００３】
従来の壁埋込み型照光式押しボタンスイッチとしては、例えば下記特許文献１に記載のものがある。この照光式押しボタンスイッチは、エレベーター乗り場用のもので、押しボタンのキャップの外周を、透明樹脂材から成る導光部材の周枠部で囲繞し、発光ダイオード（本願において「ＬＥＤ」という。）からの光を前記周枠部に導くことにより、数少ないＬＥＤで照光可能としたものであり、スイッチにはリーフスイッチを用いている。
しかしながら、一般住宅、マンション、デパート等における例えば会議室は相談室、トイレや洗面所においては、通常、交流電源が引き込まれており、ここにおいてＬＥＤを点灯させようとすれば、専用のＬＥＤ点灯回路を搭載させることが必要である。さらに、デザイン性が高く、点灯時に光らせるボタンキャップを全体的に均一に光らせることがインテリアとしては望ましく、ボタンキャップを押した際に隅押しがなされてもボタンキャップを取り付けたプランジャーが円滑に摺動し確実に点灯できることが望まれる。
以上のことから、同じ壁埋め込み型照光式押しボタンスイッチであっても、上述した従来公知のものは、上述した新しい用途に用いられる壁埋め込み型照光式押しボタンスイッチには適さないことが明らかである。
【先行技術文献】
【特許文献】
【０００４】
【特許文献１】特開２００５−１１６７２号公報
【発明の概要】
【発明が解決しようとする課題】
【０００５】
本発明は、上述した新しい用途のために開発されたものであり、その目的とするところは、デザイン性が高く、交流電源が引き込まれている場所において、単体でＬＥＤを点灯でき、ボタンキャップに対する隅押しがなされても、確実に押しボタンスイッチをＯＮ，ＯＦＦできる構造簡単な壁埋込み型照光式押しボタンスイッチを提供せんとするものである。
【課題を解決するための手段】
【０００６】
上記課題を解決するために、本発明に係る壁埋め込み型照光式押しボタンスイッチは、
本体部分が構造物内の壁面へ埋め込まれて用いられる壁埋め込み型照光式押しボタンスイッチであって、
前記壁面に設けた取付用穴を覆って取り付けられる中央部にホルダー装着孔を有するベース部材と、
前記ベース部材の前記装着孔に取り付けられるところの当該ベース部材に対して大きな専有面積を占める口径を有する収容部とこの収容部に続いて設けられた挿通孔とを有するホルダー部材と、
前記ホルダー部材の前記収容部に収容され当該ホルダー部材に対し押圧復帰動作可能に取り付けられるプランジャーと、
前記プランジャーに取り付けられるところの前記ベース部材に対して大きな専有面積を占める発光表示面積の大きな透光性材質のボタンキャップと、
前記ボタンキャップと前記プランジャーとの間に設けられた光拡散レンズと、
前記ベース部材に前記プランジャーの中央部下方に位置して取り付けられた当該プランジャーによって操作される自動復帰型の押しボタンを有する押しボタンスイッチと、
前記押しボタンスイッチに隣接して設けられたＬＥＤユニットと、を有し、
前記ＬＥＤユニットからは前記押しボタンの幅よりも幅を狭くした保持部材を当該押しボタンの上方へ延設させて設け、この保持部材上にＬＥＤを設けたことを特徴とする。
【０００７】
また、本発明に係る壁埋め込み型照光式押しボタンスイッチは、
本体部分が構造物内の壁面へ埋め込まれて用いられる壁埋め込み型照光式押しボタンスイッチであって、
前記壁面に設けた取付用穴を覆って取り付けられる中央部にホルダー装着孔を有するベース部材と、
前記ベース部材に取り付けられるところの中央部にホルダー取付孔を有する化粧カバーと、
前記化粧カバーの前記ホルダー取付孔に取り付けられるところの当該化粧カバーに対して大きな専有面積を占める口径を有する収容部とこの収容部に続いて設けられた挿通孔とを有するホルダー部材と、
前記ホルダー部材の前記収容部に収容される本体部と前記挿通孔に挿通される脚部を有し当該ホルダー部材に対し押圧復帰動作可能に取り付けられたプランジャーと、
前記プランジャーに取り付けられるところの前記化粧カバーに対して大きな専有面積を占める発光表示面積の大きなボタンキャップと、
前記ボタンキャップと前記プランジャーとの間に設けられた光拡散レンズと、
前記ホルダー部材に対してプランジャーを一方向へ付勢する弾性手段と、
前記ベース部材に前記プランジャーの中央部下方に位置して取り付けられ、前記プランジャーの前記脚部によってＯＮ、ＯＦＦ操作される自動復帰型の押しボタンを有する押しボタンスイッチと、
前記押しボタンの上方に位置して設けられた保持部材を有し前記プランジャーの中央部下方に位置して設置されたＬＥＤを有するＬＥＤユニットと、
を備え、
前記保持部材を前記押しボタンの幅よりも狭く構成して当該押しボタンの両側が前記保持部材の両側に露出するように成し、前記プランジャーの脚部には前記保持部材の両側より露出した前記押しボタンの受圧部を押圧する一対のスイッチ押圧部を設けたことを特徴とする。
【０００８】
本発明の好ましい実施例においては、前記ベース部材は、中央部にホルダー装着孔を有する前面板と枠体から成り、前記押しボタンスイッチと前記ＬＥＤユニットは、前記枠体に対してその中央部に当該押しボタンスイッチをその横にＬＥＤユニットを並置して取付けられ、前記保持部材は当該ＬＥＤユニットから延設されて当該押しボタンスイッチの上方に達するように構成することが推奨される。
【００１０】
本発明の好ましい実施例においては、前記ボタンキャップは、平面形状が、３角形や４角形等の多角形状を呈することが推奨される。
【００１１】
尚、本願明細書及び特許請求の範囲の記載中において、「前」、「後」とは、図２、５〜７において右側を「前」、左側を「後」とし、図３、４においては上側を「前」、下側を「後」とする。また、「上」、「下」とは、図２、５〜７において右側を「上」、左側を「下」とし、図３、４においては上側を「上」、下側を「下」とする。
【発明の効果】
【００１２】
本発明は上記のように構成したので、本発明に係る壁埋込み型照光式押しボタンスイッチによるときは、デザイン性に優れ、ボタンキャップを隅押ししても確実にボタンスイッチをＯＮ，ＯＦＦでき、さらに少ないＬＥＤでボタンキャップ全体として均一に光らせることのできる、製造コストの安価な、とくに一般住宅、マンション、デパート等における例えばトイレや洗面所等に用いて好適な壁埋め込み型照光式押しボタンスイッチを提供できるものである。
【図面の簡単な説明】
【００１３】
【図１】本発明に係る壁埋込み型照光式押しボタンスイッチの一実施例を示す正面図である。
【図２】図１に示した壁埋込み型照光式押しボタンスイッチの左側面図である。
【図３】図１に示した壁埋込み型照光式押しボタンスイッチの斜め上方向から見た分解斜視図である。
【図４】図１に示した壁埋込み型照光式押しボタンスイッチの斜め下方向から見た分解斜視図である。
【図５】図１に示した壁埋込み型照光式押しボタンスイッチを構造物の壁面に取り付けた状態を左側面側から見た縦中央断面説明図である。
【図６】図１に示した壁埋込み型照光式押しボタンスイッチを構造物の壁面に取り付けた状態を底面側から見た横中央断面説明図であるが、９０度回転させて図示してある。
【図７】図６において操作のためボタンキャップを押した状態を底面側から見た横中央断面説明図であるが、図６と同じく９０度回転させて図示してある。
【図８】図３〜７に示した壁埋込み型照光式押しボタンスイッチにおけるプランジャーの（イ）正面図、（ロ）右側面図、（ハ）背面図、（ニ）Ｃ−Ｃ断面図である。
【図９】図１に示した壁埋込み型照光式押しボタンスイッチの背面図である。
【図１０】図９において押しボタンスイッチを取り外した状態を示す背面図である。
【図１１】図１に示した壁埋込み型照光式押しボタンスイッチのプランジャーのスイッチ押圧部、保持部材、押しボタンの位置関係を示すもので、正面側から見た説明図であり、解りやすいようにプランジャーの脚部を斜線で図示し、押しボタンの部分をドットで図示してある。
【発明を実施するための形態】
【００１４】
以下、図面を参照しつつ、本発明の好適な実施例について説明する。尚、図示した実施例は、本発明に係る壁埋込み型照光式押しボタンスイッチの一例に過ぎず、本発明はこれに限定されるものではない。また、その用途についても上記したものに限定されず、例えば会議室、応接室、相談室、個室などに用いて使用中或は在室を知らせるものとして用いることが可能である。
【実施例】
【００１５】
図１〜図１１は、本発明の一実施例に係る壁埋込み型照光式押しボタンスイッチ１の構成を示している。
壁埋込み型照光式押しボタンスイッチ１は、構造物，例えばトイレの出入り口に取り付けられた扉や戸の脇の壁面Ｗ（図５参照）の取付用穴Ｗｈに導入されている図示してない商用交流電源の銅線にＬＥＤユニット８の図示してない端子に接続した後、その本体部分１ａを当該取付用穴Ｗｈ内に埋め込んでベース部材２を取付ネジ３２ａ、３２ｂで壁面Ｗに取り付けることによって、壁面Ｗに装着される。
即ち、ベース部材２は、図示した実施例においては、前面板２１と枠体２２とから構成されている。枠体２２は、そのネジ孔２２ａ、２２ｂにそれぞれ挿通した取付けネジ３２ａ、３２ｂによって壁面Ｗに固定され、また、前面板２１は、そのネジ孔２１ａ及び前記枠体２２のネジ孔２２ｃに挿通した連結ネジ３１ａと、前面板２１のもう１つのネジ孔２１ｂ及び前記枠体２２のネジ孔２２ｄに挿通した連結ネジ３１ｂとによって、枠体２２に固定されるようになっている。
尚、壁面Ｗは、図示した実施例では、１枚板で示してあるが、 これは１例であり、壁面はコンクリート、或は発砲コンクリート、これらのコンクリートや発砲コンクリートの表面に取り付けた化粧板やその他のボードで構成される場合がある。いずれにしても部屋の壁であればその壁面の廊下側に取り付けた壁埋込み型照光式押しボタンスイッチ１の本体部分１aが、その裏側に露出することは通常考えられない。したがって、壁面を詳しく図示してないが、取付用穴を取付用孔としなかったのは、かかる壁面の構成の違いを考慮したからに他ならず、壁面の構成は、実施例のものに限定されない。
【００１６】
ベース部材２の前記前面板２１には、化粧カバー１０が取り付けられる。即ち、化粧カバー１０の長手方向に沿った内周面に、図４、６、７、９、１０に示す如く、複数の係止突部１０ａを形成することにより、化粧カバー１０を前面板２１に重ね合わせて嵌め合わせたとき、前面板２１の外周部分と係合して化粧カバー１０が脱落しないように構成してある。化粧カバー１０には、その中央のホルダー取付孔１０ｂに嵌め込むようにして環状のホルダー部材３が取り付けられ、当該ホルダー部材３には、プランジャー５と、ボタンキャップ４とが前後方向へ往復移動可能なように取り付けられる。
【００１７】
具体的には、図示した実施例において、ホルダー部材３は、フランジ部３ａと、このフランジ部３ａに続いて設けられたところの外周に所定間隔を空けて複数の係合用爪部３ｂ(１個のみ表示)を設けた前方解放の第１周壁部３ｃと、この第１周壁部３ｃを立ち上がらせた第１段部３ｄと、この第１段部３ｄの中央部から第１周壁部３ｃと軸芯を共通にして設けた当該第１周壁部３ｃより小径の第２周壁部３ｅと、この第２周壁部３ｅに設けたその中央部にプランジャー挿通孔３ｇを設けた第２段部３ｆとを有し（図３〜７）、図３に一部示されているように、第２段部３ｆには、後述するプランジャー５の各係止部材５ｈ、５ｈの両側に設けられたスリット５ｇ、５ｇに挿入される各一対の突片３ｈ、３ｈと、この各一対の突片３ｈ、３ｈの間に設けられた係止部３ｉが設けられている。
【００１８】
プランジャー５は、浅い円筒状を呈した前方開放の第１周壁部５aと、この第１周壁部５aに続いて設けられた段部５ｂと、この段部５ｂに軸心を共通にして設けられた同じく筒状を呈した第２周壁部５ｃと、この第２周壁部５ｃの半径方向を横断して設けられたスロット５ｄ（図３、４、８）により２分割して設けられ、その先端にスイッチ押圧部５ｆ、５ｆ（図６〜８、１０、１１）を設けた平面半月形状を呈した中空１対の脚部５e、５eと、この各脚部５e、５eの中央部に設けた各一対のスリット５ｇ、５ｇにより弾性を付与されて設けられた先端部に係止突起５ｉ、５ｉを設けた係止部材５ｈ、５ｈとで構成されており、第１周壁部５ａの外周にはリング状を呈した係止突条５ｊが設けられている。このプランジャー５は、脚部５ｅ、５ｅから第２周壁部５ｃをホルダー部材３のプランジャー挿通孔３ｇへ挿入させてその第１周壁部５ａをホルダー部材３の第１周壁部内３ｃに収容させており、ホルダー部材３の第２段部３ｆの内側と、プランジャー５の段部５ｂの外側との間には、第２周壁部５ｃに環巻きさせて圧縮コイルスプリング等の弾性手段６が設けられ、常態において、前記プランジャー５、ボタンキャップ４及び光拡散レンズ９を前方へ押し出す方向へ付勢するようになっている。
【００１９】
プランジャー５の第２周壁部５ｃ（図５〜８）に設けた脚部５ｅ、５ｅには、図３〜８、１０に示すように、スリット５ｇ、５ｇによって分離された係止部材５ｈ、５ｈが形成され、この係止部材５ｈ、５ｈにはその先端に係止突起５ｉ、５ｉが設けられおり、プランジャー５をホルダー部材３へ組み付ける際に、プランジャー５の第２周壁部５ｃに圧縮コイルスプリングから成る弾性手段６を環巻きさせて第２周壁部５ｃをプランジャー挿通孔３ｇへ挿入させる際に、スリット５ｇ、５ｇ・５ｇ、５ｇ(一方のみ図示)へホルダー部材３の上記突片３ｈ、３ｈ・３ｈ、３ｈ（一方のみ図示）を挿入させ、各係止部３ｉ、３ｉ（一方のみ図示）に係止突起５ｉ、５ｉを係止させることにより、プランジャー５の移動幅を規定し、プランジャー５がホルダー部材３から抜け落ちないように構成してある。
【００２０】
ボタンキャップ４は、実施例のものは略お椀形状を呈し、使用者によって押圧操作される前面押圧部４ａである表示面は曲率半径を大きく形成してあり、点灯時に光る発光表示面積が占める割合は化粧カバーに対して大きく取ってあることから、インテリアとしてのデザイン性及びデザイン上の自由度の向上を図っている。このボタンキャップ４は、前面押圧部４ａと、前記ホルダー部材３の第１周壁部３ｃ内に挿入される周壁部４ｂとを有すると共に、周壁部４ｂの内周面には、凹溝４ｃが形成され、この凹溝４ｃにプランジャー５の第１周壁部５ａの外周面に形成した係止突条５ｊが嵌まり込むことにより、ボタンキャップ４がプランジャー５へ固定されるものである。そして、プランジャー５の第１周壁部５ａとボタンキャップ４の内周段部４ｄとの間には、光拡散レンズ９が配置されると共に、第１周壁部５ａに設けた複数の頂部切欠き５ｋと光拡散レンズの下部側に設けた複数の周縁突部９ｂを係合させることにより、光拡散レンズ９がボタンキャップ４とプランジャー５との間に確実に固定されるようになっている。
【００２１】
次に、例えば図２に示すように、前記ベース部材２の枠体２２の立上げフレーム２２ｅ、２２ｅには、これに設けた係止孔２２ｆ、２２ｆを利用して、押しボタンスイッチ７とＬＥＤユニット８が着脱可能に取り付けられる。即ち、押しボタンスイッチ７のハウジング７ａの外面に突出するよう設けたフック部材７ｂ、７ｂを係止孔２２ｆ、２２ｆに係合させることにより、押しボタンスイッチ７を枠体２２の立上げフレーム２２ｅ、２２ｅ（図９参照）に取り付け、同様に、ＬＥＤユニット８のハウジング８ａの外面に突出するよう設けたフック部材８ｂ、８ｂを別の係止孔２２ｆ、２２ｆに係合させることにより、ＬＥＤユニット８を枠体２２の立上げフレーム２２ｅ、２２ｅに取り付ける。
【００２２】
押しボタンスイッチ７には、図３、５〜７、１１に示す如く平面矩形状を呈した押しボタン７ｃが設けられ、後記の如く、この押しボタン７ｃが、保持部材８ｄを挟んで設けたプランジャー５の脚部５ｅ、５ｅの先端に設けた一方の肉厚のスイッチ押圧部５ｆと、他方の肉薄のスイッチ押圧部５ｆによって、ＯＮＮ，ＯＦＦされる構成である。尚、押しボタンスイッチ７は、図示してないが、ＬＥＤユニット８と電気的に接続されている。実施例において、保持部材８ｄが押しボタンスイッチ７の押しボタン７ｃの中央部を横断していないのは、この押しボタンスイッチ７に市販のものを用いたからであり、押しボタン７ｃの位置がもっと中央部に来るようにするのは任意であり推奨される。
【００２３】
ＬＥＤユニット８のハウジング８ａの内部には、一般家庭の１００Ｖ商用交流電源を降圧、図示してない整流する回路や、制御回路等が収容されると共に、保持部材８ｄを、ハウジング８ａからボタンキャップ４やプランジャー５等の中心軸を越えた位置まで延長させて設け（図３、５、１０）、当該保持部材８ｄの先端近くの前面にＬＥＤ８ｃを搭載させた回路基板８ｇが設けられ、前記押しボタンスイッチ７の押しボタン７ｃが押されて、押しボタンスイッチ７が例えばＯＮとなったときには、前記制御回路の作動によりＬＥＤ８ｃを発光させるようになっている。そのとき、ＬＥＤ８ｃから発せられた光は、前記保持部材８ｄやＬＥＤ８ｃを覆うように取り付けた透明カバー８ｅを透過し、前記ボタンキャップ４に臨む光放出面８ｆ（図３、１１）から放射され、光拡散レンズ９を通過して、ボタンキャップ４を内面から照射し、ボタンキャップ４を均一に光らせるものである。尚、ＬＥＤ８ｃは、実施例のものは、光拡散レンズ９やボタンキャップ４の中心部に位置し、このことが、ボタンキャップ４を均一に光らせる要因となっている。
【００２４】
また、図示した実施例において、ＬＥＤユニット８の保持部材８ｄ及び透明カバー８ｅは、押しボタンスイッチ７の押しボタン７ｃの前を横切って、ボタンキャップ４やプランジャー５等の中心軸を越えた位置まで延びているので、プランジャー５の押圧操作によって押しボタンスイッチ７の押しボタン７ｃを押圧する際に、保持部材８ｄ及び透明カバー８ｅがその障碍とならないようにするために、図３、４、８等に示すように、プランジャー５の第２周壁部５ｃよりも後方側にはスロット５ｄを形成して脚部５ｅ、５ｅを設けることにより、プランジャー５と、保持部材８ｄ及び透明カバー８ｅとの干渉を避けるように構成してある。
即ち、プランジャー５の第２周壁部５ｃには、スロット５ｄによって複数の脚部５ｅ、５ｅ（図２〜８、１０、１１等参照）を形成すると共に、これら複数の脚部の間に、前記保持部材８ｄ及び透明カバー８ｅの収容を許容するスロット５ｄを形成することによって、保持部材８ｄ及び透明カバー８ｅとプランジャー５との干渉を避けるようになっている。
また、各脚部５e、５eの内側と保持部材８ｄ乃至透明化バー８eの両側部の間には、図６と図７及び図１０と図１１に示したように、若干の間隙ａ、aが設けられており、プランジャー５のボタンキャップ４を介しての押圧及び復帰動作がスムーズに行なえ、支障が生じないようになっている。そして、二股に分かれた各脚部５ｅ、５ｅの先端に設けたスイッチ押圧部５ｆ、５ｆによって、とくに図１１に示されたように、保持部材８ｄを挟みその両側から露出した押しボタン７ｃの受圧部７ｄ、７ｄを押圧するように構成することにより、ボタンキャップ４の押圧時にその前後左右斜めのどの方向から隅押しがなされても、押しボタン７ｃに対する押圧操作が確実になされ、いわゆるスイッチの片ぎきということが防止され、操作性の向上を図ることができるものである。この効果は、後述するように、ボタンキャップを平面三角形状や四角形状あるいは星形などの多角形状に形成せた場合には、表示面積が大きいことから、隅押しがなされる可能性が高く、かかる構成の場合にも、確実に押しボタンを押圧することができるものである。
【００２５】
光拡散レンズ９は、例えば、透明なプラスチック部材の表面に細かな凹凸処理を施した摺りガラス状のものや、乳白色等の半透明のプラスチック部材、等々から成り、ＬＥＤ８ｃから発せられ、透明カバー８ｅの光放出面８ｆを通じて放出された光を拡散させ、ボタンキャップ４の外周面を全体的に光らすことができるようになっている。尚、ボタンキャップ４に模様等を描いて、デザイン効果を高めることも可能である。
【００２６】
使用者が、例えばトイレに入る際にボタンキャップ４を押圧すると、図６、７に示す如く、プランジャー５が弾性手段６の弾力に抗して後方へ移動し、前記の如く、その脚部５ｅ、５ｅのスイッチ押圧部５ｆ、５ｆによって、押しボタンスイッチ７の押しボタン７ｃの受圧部７ｄ、７ｄが押圧されて押し込まれ、押しボタンスイッチ７のＯＮ動作が行われ、ＬＥＤ８ｃは点灯する。この際に同時にトイレの室内灯が点灯するように構成しても良い。さらにその際に、使用者がボタンキャップ４から手を離し、弾性手段６の弾性力によってボタンキャップ４及びプランジャー５が図５、６に示すような元位置に復帰しても、押しボタンスイッチ７のＯＮ状態が維持される。使用者がトイレの使用を終了し、退室時にボタンキャップ４を再度押圧すると、既に元位置に復帰している押しボタンスイッチ７の押しボタン７ｃが、プランジャー５の脚部５ｅ、５ｅのスイッチ押圧部５ｆ、５ｆによって押込まれてＬＥＤ点灯回路がＯＦＦされるので、ＬＥＤは消灯する。使用者がボタンキャップ４から手を離すと、弾性手段６の弾性力によってボタンキャップ４及びプランジャー５が図５、６に示すような元位置に復帰する。この時同時にトイレの室内灯も消灯されるように構成してもよい。
【００２７】
尚、本発明の構成は上記実施例に限定されるものではなく、例えば、ボタンキャップ４が化粧カバー１０に対して占める専有面積が大きいことから、ボタンキャップ４の形状をお椀形状のものとする以外にも、平面形状を四角形、三角形、ハート形、星形等々さまざまな形状とすることができることから、デザインの自由度が増し、インテリア効果を高めることができるものである。また、押しボタンスイッチ７の機能も単にＬＥＤのみを点灯させるだけではなく、室内灯を同時に点灯させることも可能である。したがって、本発明は、特許請求の範囲に記載された技術的範囲に含まれるすべての変更実施例を包摂するものである。
【産業上の利用可能性】
【００２８】
本発明は上記のように構成したので、本発明に係る壁埋込み型照光式押しボタンスイッチは、デザインの自由度が高く、インテリア性を備えているので、商用交流電源の入っている、一般住宅、マンション、デパート等の構築物における例えばトイレや洗面所、或は会議室、応接室、相談室、個室などの出入口の脇の壁面に取り付けて使用中或は在室を知らせるものとして好適に用いられるものである。
【符号の説明】
【００２９】
１      壁埋込み型照光式押しボタンスイッチ
１ａ    本体部分
２      ベース部材
２１    前面板
２１ａ、２１ｂ  ネジ孔
２１ｃ  ホルダー装着孔
２２    枠体
２２ａ〜２２ｄ  ネジ孔
２２ｅ  立上げフレーム
２２ｆ  係止孔
３      ホルダー部材
３ａ    フランジ部
３ｂ    係合用爪部
３ｃ    第１周壁部
３ｄ    第１段部
３ｅ    第２周壁部
３ｆ    第２段部
３ｇ    プランジャー挿通孔
３ｈ    突片
３ｉ    係止部
４      ボタンキャップ
４ａ    前面押圧部
４ｂ    周壁部
４ｃ    凹溝
４ｄ    内周段部
５      プランジャー
５ａ    第１周壁部
５ｂ    段部
５ｃ    第２周壁部
５ｄ    スロット
５ｅ    脚部
５ｆ    スイッチ押圧部
５ｇ    スリット
５ｈ    係止部材
５ｉ    係止突起
５ｊ    係止突条
５ｋ    頂部切欠き
６      弾性手段
７      押しボタンスイッチ
７ａ    ハウジング
７ｂ    フック部材
７ｃ    押しボタン
７ｄ    受圧部
８      ＬＥＤユニット
８ａ    ハウジング
８ｂ    フック部材
８ｃ    ＬＥＤ
８ｄ    保持部材
８ｅ    透明カバー
８ｆ    光放出面
８ｇ    回路基板
９      光拡散レンズ
９ａ    光拡散部
９ｂ    周縁突部
１０    化粧カバー
１０ａ  係止突部
１０ｂ  ホルダー取付孔
３１ａ、３１ｂ  連結ネジ
３２ａ、３２ｂ  取付ネジ
Ｗ      壁面
Ｗｈ    取付用穴
【図１】
0005869045.tif 000002
【図２】
0005869045.tif 000003
【図３】
0005869045.tif 000004
【図４】
0005869045.tif 000005
【図５】
0005869045.tif 000006
【図６】
0005869045.tif 000007
【図７】
0005869045.tif 000008
【図８】
0005869045.tif 000009
【図９】
0005869045.tif 000010
【図１０】
0005869045.tif 000011
【図１１】
0005869045.tif 000012